(57)【要約】【課題】  ミュート、グリッチ、またはスリップなどのオーディオ・アーチファクトをもたらすことなくスプライスさせることができるオーディオ・ストリームを得るためのエンコード方式と、品質損失を最小限に抑えて圧縮と解凍のカスケーディングを行うことができるエンコード方式と、を提供すること。【解決手段】  オーディオ・データとビデオ・データをエンコードするオーディオ・エンコード方式またはストリームが、開示されている。この方式は、特に、デジタル・テレビ・ブロードキャストにおけるメザニンレベルのコード化を用途とする。この方式は、エンコード時に定義されたシーケンス（長さ=2005515511.tif 000228）の、長さ2005515511.tif 000229が可変のオーディオ・フレームを設けることにより、オーディオ・フレーム平均有効長2005515511.tif 000230を、整数2005515511.tif 000231個のビデオ・フレームに渡ってビデオ・フレーム長2005515511.tif 000232に等しくさせる。隣接したフレーム間のオーバーラップの長さを、一連の2005515511.tif 000233個のフレームの後に繰り返すアルゴリズムに従って直すことにより、オーディオ・フレームの長さを変えることができる。このような方式のためのエンコーダとデコーダが、さらに開示されている。
2005515511.tif 000002
【特許請求の範囲】
【請求項１】
エンコード時に定義されたシーケンス
2005515511.tif 000190
の、長さ
2005515511.tif 000191
が可変のオーディオ・フレームを設けることにより、オーディオ・フレーム平均長
2005515511.tif 000192
を、整数
2005515511.tif 000193
個のビデオ・フレームに渡ってビデオ・フレーム長
2005515511.tif 000194
に等しくさせる、
オーディオ・データとビデオ・データを運ぶストリームを得るためのオーディオ・エンコード方式。
【請求項２】
逐次的なオーディオ・フレーム間のオーバーラップ
2005515511.tif 000195
を変えることにより、前記フレーム長
2005515511.tif 000196
が調整される、請求項１に記載のエンコード方式。
【請求項３】
前記値
2005515511.tif 000197
が、
2005515511.tif 000198
（一連のフレームを定義する
2005515511.tif 000199
の周期性）に基づいて周期的に繰り返す、請求項１または請求項２に記載のエンコード方式。
【請求項４】
シーケンスごとに
2005515511.tif 000200
個のビデオ・フレームと
2005515511.tif 000201
個のオーディオ・フレームを有し、
各オーディオ・フレームが、
2005515511.tif 000202
個のサンプルから成るブロック
2005515511.tif 000203
個分により構成されている、請求項３に記載のエンコード方式。
【請求項５】
前記シーケンス内のフレーム間のオーバーラップの合計
2005515511.tif 000204
が、
2005515511.tif 000205
に等しく、式中、
2005515511.tif 000206
が、
2005515511.tif 000207
となる、ブロック内のオーバーラップ長である、請求項４に記載のエンコード方式。
【請求項６】
特定のビデオ・フレームに対応するオーディオ・フレームしかオーバーラップされない、請求項５に記載のエンコード方式。
【請求項７】
2005515511.tif 000208
および
2005515511.tif 000209
である、請求項６に記載のエンコード方式。
【請求項８】
特定のビデオ・シーケンスに対応するオーディオ・フレームしかオーバーラップされない、請求項５に記載のエンコード方式。
【請求項９】
2005515511.tif 000210
および
2005515511.tif 000211
である、請求項８に記載のエンコード方式。
【請求項１０】
隣接したオーディオ・フレームがどれもオーバーラップされる、請求項５に記載のエンコード方式。
【請求項１１】
2005515511.tif 000212
および
2005515511.tif 000213
である、請求項10に記載のエンコード方式。
【請求項１２】
2005515511.tif 000214
である、請求項4〜請求項11の何れかのエンコード方式。
【請求項１３】
ビデオとある程度マッチングした
2005515511.tif 000215
個のフレームのオーディオ・サンプルが、準可変のオーバーラップと共にフレーム内でエンコードされ、このことにより前記オーディオ・フレームの有効長が、
2005515511.tif 000216
個の一連のビデオ・フレームの長さと合致する（
2005515511.tif 000217
と
2005515511.tif 000218
は正の整数である）、オーディオ・データとビデオ・データとをエンコードしたストリームを得るためのオーディオ・エンコード方式。
【請求項１４】
前記請求項の何れかの方式によりエンコードされるデータ・ストリーム。
【請求項１５】
前記オーディオ・フレームのサイズを示すタグが各々付けられたオーディオ・フレームを含む、請求項14に記載のデータ・ストリーム。
【請求項１６】
オーディオ・フレームを含み、これらのオーディオ・フレームの各ブロックに、前記ブロックが冗長ブロックか否かを示すタグが付けられる、請求項14または請求項15に記載のデータ・ストリーム。
【請求項１７】
有効長
2005515511.tif 000219
が、エンコード時に定義されたシーケンス
2005515511.tif 000220
になるように、オーディオ・フレームにより可変のオーバーラップを設けることにより、オーディオ・フレームの平均有効長
2005515511.tif 000221
が、整数
2005515511.tif 000222
個のビデオ・フレームと
2005515511.tif 000223
個のオーディオ・フレームに渡って前記ビデオ・フレーム長
2005515511.tif 000224
に等しくなるように、可変長のオーディオ・フレームを作り出す、
オーディオをコード化して、オーディオ・データとビデオ・データを運ぶストリームを得るための、オーディオ・エンコーダ。
【請求項１８】
長さ
2005515511.tif 000225
の短いオーバーラップと、シーケンス状態の合計
2005515511.tif 000226
個の長いオーバーラップと、
を有するストリームをコード化し、
2005515511.tif 000227
個のフレームの後に反復するアルゴリズムを用いて、先頭のオーバーラップを計算する、
請求項17に記載のオーディオ・エンコーダ。
【請求項１９】
入来するフレームの予想されるフレーム有効長を計算し、
前記入来するフレームの実際の長さを調整して、この長さを前記予想されるフレーム長に等しくさせ、
受信されたフレーム内のブロックが、冗長ブロックまたは非冗長ブロックかを決定し、
前記非冗長ブロックをサブバンド・サンプル上にマッピングする、
オーディオ・データとビデオ・データをエンコードするストリームをデコードするための、オーディオ・デコーダ。
【請求項２０】
各ブロックに1組のブロック演算子を1つ以上適用することにより、前記データ・ストリーム内のブロックの前記オーバーラップ状態を変更する、請求項19に記載のオーディオ・デコーダ。
【請求項２１】
前記１組の演算子が、
ブロックの状態を変化させない演算子であるNOPと、
先頭のオーバーラップからの最初の非冗長ブロックを冗長ブロックに変化させる演算子であるDropと、
末尾のオーバーラップからの最初の冗長ブロックを非冗長ブロックに変化させる演算子であるAPPENDと、
drop演算子とappend演算子の両方を組み合わせた演算子であるShiftと、
を1つ以上含む、
請求項20に記載のオーディオ・デコーダ。
【発明の詳細な説明】
【技術分野】
【０００１】
本発明は、他のデータ・ストリームに同期化されている箇所でそれが編集可能となるように、オーディオ信号をデータ・ストリームにコード化することに関する。本発明は、特に、関連するビデオ・フレーム境界の圧縮領域内でオーディオを非破壊的にスプライシングする必要があるデジタル・テレビ伝送方式を用途とするが、この用途には限定されない。
【背景技術】
【０００２】
デジタル・テレビジョン (DTV) システムにより、バンド幅が限られたチャネル上で、幾つかのプログラムをブロードキャストすることが可能となる。これらのプログラムの各々は、ビデオ・コンテンツとオーディオ・コンテンツを有する。これらのプログラムの幾つかは、高品質な多重チャンネル（例えば、家庭用映画システムにより再生可能な5つのチャネル）のオーディオを含むことができる。DTVの製作サイト、ネットワーク、および加盟局は、一般的に、ビデオ・テープ・レコーダと、すべてのオーディオ・コンテンツを運ぶための伝送線とを用いる。このインフラストラクチャの多くは、2つの未圧縮オーディオ・チャネルに対する容量しか有していないので、多重チャネルは、通常、軽く圧縮されかつフォーマットされてから、記録または伝送される。放出（すなわち、エンドユーザへのブロードキャスト）の前にプログラム・ストリームは、強く圧縮される。
【０００３】
DTV製作でのコントリビューション段と配信段では、元のストリームは、プログラムの編集またはプログラムのスイッチング（例えば、ローカルなコンテンツを生中継のネットワーク・フィードに挿入すること）のために、スプライスされなければならない。このようなスプライシングは、コンテンツ・ストリーム内のビデオ・フレームの境界で行われる。
【０００４】
ブロードキャストされたストリームのオーディオ・コンテンツは、幾つかの要件を満たすことが出来なければばならない。特に、プログラムが家庭用映画システムなどの高品質の再生機器を用いて再生される場合、DTV視聴者は、受信されたプログラムが高い知覚オーディオ品質を有していることを期待する可能性がある。例えば、エンコーディング段と多重のデコーディング段とを多重にカスケードさせることによる可聴アーチファクトがあってはならず、かつプログラムをスイッチングしている間に知覚可能な音の中断があってはならない。最も重要な点は、再生されたプログラムがリップ・シンクでなければならないこと、つまりオーディオ・ストリームが、対応するビデオ・ストリームと同期していなければならないことである。これらの目的を、手頃なコストで、すなわち、既存の（2チャネルの）インフラストラクチャを用いて達成するには、オーディオ・プログラムを圧縮領域内でスプライスしなければならない。
【０００５】
【非特許文献１】「ドルビー・デジタル・ブロードキャスト実施ガイドライン第91549号 (Dolby Digital Broadcast Implementation Guidelines Part No. 91549)」 (Dolby Laboratories, Version 2, Dolby Laboratories, 1998)
【非特許文献２】ISO/IEC 11172「デジタル格納媒体のための動画および関連付けられたオーディオの最大約1.5 Mbit/sまでのコード化（第３部）：オーディオ (1993〜08) ("Coding of moving pictures and associated audio for digital storage media at up to about 1.5 Mbit/s" Part 3: Audio (1993-08) )」
【非特許文献３】「カスケーディングされた音響心理学的なコード化におけるオーディオ品質の維持 (Maintaining Audio Quality in Cascaded Psychoacoustic Coding)」 (Warner R. Th. ten Kate 101st AES Convention 1996 November 8-11)
【非特許文献４】IEC61937規格「PCMによりエンコードされた非線形のオーディオ・ビット・ストリームのためのIEC 60958を適用したインターフェイス」 (Interface for non-linear PCM encoded audio bitstreams applying IEC 60958)
【発明の開示】
【課題を解決するための手段】
【０００６】
既存のメザニン・エンコード方式には、最大8チャネルまでのエンコードされたオーディオおよび多重化されたメタデータを、AES-3ペアを介して配信するための、ドルビー研究所 (Dolby Laboratories) の「ドルビー・デジタル・ブロードキャスト実施ガイドライン第91549号 (Dolby Digital Broadcast Implementation Guidelines Part No. 91549)」 (Dolby Laboratories, Version 2, 1998年) に定義されているドルビー E (r. t. m.) が含まれる。間もなく導入される (NAB 1999) DP571 ドルビー E エンコーダおよびDP572 ドルビー E デコーダにより、エンコードされたオーディオの編集とスイッチングを、ミュートまたはグリッチを最小限に抑えて行うことが可能となるはずである。さらに、これらのエンコーダとデコーダにより、可聴な劣化のないカスケーディングが可能となる。ドルビー Eは20ビットのサンプル・サイズを用いることにより、ビット・レートを2：1 〜 5：1 に低減させる。
【０００７】
英国放送協会外は、MPEG-2ビデオ・ビット・ストリームのスイッチングと編集を柔軟に行う方法を、ACTS ATLANTICプロジェクトを通じて提案している。このシームレスなコンカチネーション・アプローチは、デコーディングと再エンコーディングを側面情報と共に行うことを利用して、カスケーディングによる劣化をなくしている。しかしながら、この方式は、MPEG-2レイヤIIと AES/EBUインターフェイスを用いた用途に限定されている。さらに、このオーディオ・データは、編集箇所に対してスライドさせることができるので、タイム・オフセットをもたらしてしまう。したがって、逐次的に編集を行うことによって、オーディオ情報とビデオ情報との間のタイム・オフセットが大きくなってしまう可能性がある。
【０００８】
ビデオ・ストリームとオーディオ・ストリームは、ブロードキャスト・チェーン全体に渡りリップ・シンク状態を維持しなければならない。すなわち、オーディオは、対応するビデオとの同期を保たなければならない。配信サイトは、放出前に、（例えば、ローカル・コンテンツを含ませるために）オーディオ・ストリームとビデオ・ストリームをスプライス（例えば、スイッチング、編集、またはミキシング）することができる。スプライシングの後、ビデオ・フレームとオーディオ・フレームの境界が合致しない場合（これは、ほとんどのオーディオ・コード化方式で発生する）、オーディオがビデオに対してスリップしているので、リップ・シンクを自動的に保証することはできない。特別な措置が講じられない極端な場合、このことにより、ミュートまたはグリッチなどのオーディオ・アーチファクトが発生してしまう可能性がある。非対応のオーディオ・ストリームのデコード化を試みた結果、グリッチが発生してしまう場合もあるが、これらのグリッチをなくすためにミュートを適用してもよい。本発明の目的は、ミュート、グリッチ、またはスリップなどのオーディオ・アーチファクトをもたらすことなくスプライスさせることができるオーディオ・ストリームを得るためのエンコード方式を提供することである。
【０００９】
本発明の別の目的は、品質損失を最小限に抑えて圧縮と解凍のカスケーディングを行うことができるエンコード方式を提供することである。
【００１０】
本発明は、第一態様により、
エンコード時に定義されたシーケンス
2005515511.tif 000003
の長さ
2005515511.tif 000004
が可変のオーディオ・フレームを設けることにより、オーディオ・フレーム平均長
2005515511.tif 000005
を、整数
2005515511.tif 000006
個のビデオ・フレームに渡ってビデオ・フレーム長
2005515511.tif 000007
に等しくさせる、
オーディオ・データとビデオ・データを運ぶストリームを得るためのオーディオ・エンコード方式、
を提供する。
【００１１】
この方式により、オーディオ情報を劣化させずに、ストリームを少なくともビデオ・フレームごとに編集することが確実に可能となる。逐次的なオーディオ・フレーム間のオーバーラップ
2005515511.tif 000008
を変えることにより、フレーム長
2005515511.tif 000009
を調整できることが好ましい。
【００１２】
本発明を具現化する方式の場合、値
2005515511.tif 000010
を
2005515511.tif 000011
（一連のフレームを定義する周期性）に基づいて周期的に繰り返してもよい。通常、
2005515511.tif 000012
個のビデオ・フレームと
2005515511.tif 000013
個のオーディオ・フレームがシーケンスごとに存在し、各オーディオ・フレームが
2005515511.tif 000014
個のブロックから構成される。シーケンス内のフレーム間のオーバーラップ
2005515511.tif 000015
の合計を、例えば、
2005515511.tif 000016
に等しくしてもよい（ここで、
2005515511.tif 000017
は、ブロック内のオーバーラップ長である）。
【００１３】
本発明の範囲内にある一方式の場合、特定のビデオ・フレームに対応するオーディオ・フレームしかオーバーラップされない。このような方式の場合、
2005515511.tif 000018
と
2005515511.tif 000019
の値は、等式、
2005515511.tif 000020
および
2005515511.tif 000021
を満たしてもよい。
【００１４】
一代替方式の場合、特定のビデオ・シーケンスに対応するオーディオ・フレームしかオーバーラップされない。このような方式の場合、
2005515511.tif 000022
と
2005515511.tif 000023
の値は、等式、
2005515511.tif 000024
および 
2005515511.tif 000025
を満たしてもよい。
【００１５】
さらなる一代替方式の場合、隣接するどのオーディオ・フレームもオーバーラップされる。このような好ましい方式の場合、
2005515511.tif 000026
と
2005515511.tif 000027
の値は、等式、
2005515511.tif 000028
および
2005515511.tif 000029
を満たしてもよい。この後者の方式は、一連のビデオ・フレーム
2005515511.tif 000030
に最適なオーバーラップの値を、
2005515511.tif 000031
となるように提供することができる。
【００１６】
ビデオ・シーケンスとは、毎秒のビデオ・フレームのレートが
2005515511.tif 000032
である、整数の（かつ可能なら有限数の）ビデオ・フレーム（すなわち
2005515511.tif 000033
）であって、各ビデオ・フレームが、等しい整数
2005515511.tif 000034
個の（圧縮された）オーディオ・フレームを含み、各オーディオ・フレームが整数
2005515511.tif 000035
個のブロックを含み、各ブロックが、毎秒
2005515511.tif 000036
個のサンプルというサンプリング・レートの整数
2005515511.tif 000037
個のオーディオ・サンプルを表すビデオ・フレームである、と定義付ける。ビデオ・フレームの数に、オーディオ周波数とビデオ周波数との間の比率を掛けたものを、（圧縮された）オーディオのブロック毎のオーディオ・サンプル数で除算した余りをゼロに等しくさせることにより、
2005515511.tif 000038
は整数となることが保証される。したがって、
2005515511.tif 000039
も整数となる。この結果、オーバーラップしているブロックの総数も整数となるので、各単一のオーバーラップも整数となる。ほとんどの場合、オーバーラップするブロック数が整数であることは必須である。サンプルのブロックは、基礎を成しているコーデックにより扱われる情報の最小単位である。
【００１７】
本発明は、第二態様により、ビデオとある程度マッチングした
2005515511.tif 000040
個のフレームのオーディオ・サンプルが、準可変のオーバーラップと共にフレーム内でエンコードされ、このことにより前記オーディオ・フレームの有効長が
2005515511.tif 000041
個の一連のビデオ・フレームの長さと合致する（
2005515511.tif 000042
と
2005515511.tif 000043
は正の整数である）、エンコードされたオーディオ・データとビデオ・データとを運ぶストリームを得るためのオーディオ・エンコード方式を提供する。
【００１８】
本発明は、本発明の前述した何れかの態様の方式に従ってエンコードされたデータ・ストリームを提供する。このようなストリームには、オーディオ・フレームのサイズを示すタグが各々付けられたオーディオ・フレームを含めてもよい。ブロックが冗長ブロックであるか否かを示すタグをブロックに付けてもよい。
【００１９】
本発明は、別の態様により、本発明の第一態様に従ってオーディオ・ストリームをエンコードするための（例えば、ソフトウエア・コンポーネントまたはハードウエア回路として実施してもよい）オーディオ・エンコーダを提供し、さらに本発明の第一態様に従ってオーディオ・ストリームをデコードするためのオーディオ・デコーダを提供する。
【００２０】
本発明のこの態様によるオーディオ・デコーダは、1組のブロック演算子の内の１つ以上を各ブロックに適用することによって、データ・ストリーム内のブロックの冗長状態を変更することにより動作する。これは、
NOP：ブロックの状態を変化させない演算子と、
Drop：先頭のオーバーラップからの非冗長な第一ブロックを冗長ブロックに変化させる演算子と、
APPEND：末尾のオーバーラップからの最初の冗長ブロックを非冗長ブロックに変化させる演算子と、
Shift：drop演算子とAPPEND演算子との組み合わせである演算子と、
を1つ以上含む1組の演算子により達成される。
【００２１】
本発明は、特に、
長さ
2005515511.tif 000044
がエンコード時に定義されたシーケンス
2005515511.tif 000045
になるように、オーディオ・フレームにより可変のオーバーラップを設けることにより、オーディオ・フレームの平均有効長
2005515511.tif 000046
が整数
2005515511.tif 000047
個のビデオ・フレームに渡ってビデオ・フレーム長
2005515511.tif 000048
に等しくなるように、可変長のオーディオ・フレームを作り出す、
オーディオをコード化して、オーディオ・データとビデオ・データをエンコードしたストリームを得るための、オーディオ・エンコーダ、
を提供する。
【００２２】
このようなオーディオ・エンコーダは、
2005515511.tif 000049
個のオーディオ・フレームの後に繰り返すアルゴリズムを用いて先頭のオーバーラップを計算して、長さ
2005515511.tif 000050
の短いオーバーラップと、シーケンス状態の合計
2005515511.tif 000051
個の長いオーバーラップとを有するようにストリームをコード化してもよい。
【００２３】
本発明は、さらなる態様により、エンコードされたオーディオ・データとビデオ・データを運ぶストリームをデコードするための、（例えば、ソフトウエア・コンポーネントまたはハードウエア回路として実施してもよい）オーディオ・デコーダを提供する。このデコーダは、入来するフレームの予想されるフレーム長
2005515511.tif 000052
を、できる限り円形シフトされたシーケンス
2005515511.tif 000053
で計算し、この入来するフレームの実際の長さを、予想されたフレーム長に等しくなるように調整し、受信されたフレーム内のブロックの何れかが、冗長ブロックかまたは非冗長ブロックかを決定し、この非冗長ブロックをサブバンドのオーディオ・サンプル上にマッピングする。
【００２４】
本発明を具現化するシステムの場合、サンプル・レート変換などの余分なオーディオ操作は通常行われない。さらに、受信されたストリームを正確にデコードするために必要なすべての情報は、ほとんどの場合、エンコーダで加えられることが通常なので、この情報を編集の間に変更する必要はない。したがって、既存のインフラストラクチャを用いて、変更を加えることなく編集を行うことができる。さらに、デコーディングを可能にするためにストリームに加える必要がある余分な情報は、非常に僅かとなる。最後に忘れてはならないことは、放出形式としてMPEGを用いる場合、MPEGに適した形式も用いて伝送を行うと、便利となる場合があることである。
【発明を実施するための最良の形態】
【００２５】
次に、本発明の実施例の詳細を、添付の図面を参照しながら単に例として説明する。
【００２６】
以下の説明では、以下の記号が全体に渡り用いられている。
2005515511.tif 000054
【００２７】
第一に、図1を参照すると、典型的なDTVブロードキャスト・システムが、コントリビューション段10と、配信段12と、放出段14とを含んだチェーン状になっている。
【００２８】
コントリビューション段内では、コンテンツが1つ以上の製作サイト20で生じ、かつ配信ネットワーク22によりブロードキャスト・ネットワーク・サイト24へ転送される。ブロードキャスト・ネットワーク24は、このコンテンツを含んだプログラム・ストリームを作り出し、かつこのプログラム・ストリームを、DTH (direct-to-home) 衛星ブロードキャスタ32、地上ブロードキャスタ34、ケーブル・テレビのプロバイダ36などの加盟局に、配信ネットワーク30を介して配信する。その後、加入者40は、これらの加盟局の内の1局の出力から、プログラム・ストリームを受信することができる。
【００２９】
製作サイト内では、幾つかのタイプのコンテンツを製作し、かつ複数の異なる媒体に格納することができる。例えば、第一スタジオ50は、生放送型コンテンツを製作し、かつ第二スタジオ52は、記録型コンテンツ（例えば、コマーシャル広告）を製作することができる。いずれの場合にも、コンテンツには、ビデオ・コンポーネントとオーディオ・コンポーネントが含まれている。各スタジオ50からの出力は、各々のエンコーダ54により同様に処理され、オーディオ・コンテンツとビデオ・コンテンツをエンコードした基本ストリームが生成される。生放送でブロードキャストされる第一スタジオ50からのコンテンツは、次に（適切な処理の後）無線リンクにより配信ネットワーク22へ伝送される。第二スタジオのコンテンツの場合、時間は重要ではないので、このコンテンツをテープ56上に記録し、かつ適切な方法で配信ネットワーク22に送信することができる。エンコーダ54、およびエンコーダ54が作り出す基本ストリームが、本発明の態様の実施例である。
【００３０】
図3に示されているように、ネットワーク・サイト24内では、スプライサ60によって、様々なソースからのコンテンツがスプライスされて、プログラム出力が構成される。スプライサ60への入力は、製作ユニット20からの無線リンク経由、テープ56、またはローカル・スタジオ64などの様々なソースから導出される同様のタイプの基本ストリームから導出される。スプライサ60の出力も、同じく基本ストリームであり、どの所与の時刻でも、これらの入力ストリームの内の選択されたストリームである。スプライサ60は、出力ストリームのオーディオ・コンポーネントとビデオ・コンポーネントとが途切れなく再生することが可能となるように入力ストリーム間のスイッチングを行うように、動作させることができる。次に、スプライサ60の出力はパケタイザ62により処理されて、トランスポート・ストリームが形成される。次に、このトランスポート・ストリームは変調されて、無線リンクにより加盟局に伝送され、加入者に配信される。
【００３１】
本発明を具現化する基本ストリーム内のエンコードされたビデオ・コンテンツは、通常、一連のスキャンされたビデオ・フレームを有するであろう。このようなフレームは、プログレッシブ・スキャン型ビデオ・フレーム (progressive scanning video frames) でもよい。この場合、各フレームは、完全な静止画像である。このような場合、これらのビデオ・フレームは、フレーム・レート
2005515511.tif 000055
を有し、かつ継続時間
2005515511.tif 000056
を有する。これに代えて、これらのフレームを、インターレース・スキャン型のフレームとしてもよい。この場合、各フレームは、2つの逐次的にインターレースされたフィールドから構築され、フィールド周波数は、上記で紹介した表記では
2005515511.tif 000057
となる。フレーム・レートとスキャン・タイプは、ストリームが目的とするテレビ・システムにより定義される。基本的なテレビ規格であるPALとNTSCは、これらの規格が用いられている国の送電線の周波数から、フレーム・レートを導出する。カラーテレビの導入により、NTSCは、率にして1000 / 1001だけ変更された。さらに、映画は24 Hzを用いているが、これを同じ率だけ変更してもよい。さらに、コンピュータ・モニタは、最大96 Hzまでの幾つかのフレーム・レートで走ることができる。以下の表1には、
2005515511.tif 000058
の典型的な値が与えられている。
（表1）
2005515511.tif 000059
【００３２】
オーディオ信号は、ある周波数
2005515511.tif 000060
（例えば、48 kHz）でサンプリングされた、時間的に連続したパルスコード変調 (PCM) 信号である。以下の表2には、
2005515511.tif 000061
の値の例が与えられている。
（表2）
2005515511.tif 000062
【００３３】
これらの周波数の他にも、44.1 kHzと48 kHzを、率にして1000 / 1001 だけ変更して（例えば、44.056 kHz、44.144 kHz、47.952 kHz、および48.04 8 kHzにし）、オーディオを、映画からNTSCへのプルアップとプルダウンによる変換に適合させてもよい。さらに、映画からPAL方式へ変換するために、24 / 25という率を適用してもよい（例えば、42.336 kHz、45.937 kHz、46.08 kHz、および50 kHzが得られる）。さらに、DABは24 kHzと48 kHzを用い、DVDオーディオは44.1 kHz、88.2 kHz、176.4 kHz、48 kHz、9 6kHz、および192 kHzを用い、DVDビデオは48 kHzと96 kHzを用いてもよい。DATは32 kHz、44.1 kHz、および48k Hzに特定されており、特別なバージョンは96 kHzを用いてもよい。最後に、非常に低いビット・レートの圧縮されたオーディオは、より低いサンプリング周波数（例えば、16 kHz、22.05 kHz、および24kHz）を必要としてもよい。
【００３４】
サンプルの幅は、通常、16ビット、20ビット、または24ビットである。
【００３５】
圧縮の前に、オーディオ・ストリームは、継続時間が
2005515511.tif 000063
のオーディオ・フレームに分割される。ここで、
2005515511.tif 000064
は、オーディオ・フレームごとのサンプル数である（例えば、MPEG-2レイヤIIの場合は、
2005515511.tif 000065
個のサンプルであり、AC-3の場合は、
2005515511.tif 000066
個のサンプルである）。以下の表3には、様々なコード化方式で用いられるフレーム・レートの例が示されている。
（表3）
2005515511.tif 000067
【００３６】
オーディオ・エンコーダの内部では、オーディオ・フレームは、さらに
2005515511.tif 000068
個のサンプルから成るブロック
2005515511.tif 000069
個に分割される（例えば、MPEG-2 レイヤ IIの場合、32個のサンプルから成るブロックが36個存在する）。ブロックとは、オーディオの最小処理単位である。これは、
2005515511.tif 000070
として表現することができる。以下の表4は、様々なコード化方式で用いられているフレーム細分類を示す。
（表4）
2005515511.tif 000071
【００３７】
ブロードキャスト・チェーン全体に渡り、ビデオ・ストリームとオーディオ・ストリームをリップ・シンク状態に維持しなければならない。すなわち、オーディオは、対応するビデオと同期に保たれなければならない。配信サイトは、放出前に（例えば、ローカル・コンテンツを含めるために）オーディオ・ストリームとビデオ・ストリームをスプライス（例えば、スイッチング、編集、またはミキシング）してもよい。
【００３８】
スプライシングの後、ビデオ・フレームとオーディオ・フレームの境界が合致しない場合（このことは、ほとんどのオーディオ・コード化方式で発生する）、リップ・シンクを自動的に保証することはできない。特別な手段が講じられない極端な場合、このことによりミュートまたはスリップなどのオーディオ・アーチファクトが発生してしまう。
【００３９】
本発明の様々な実施例は、（MPEG-1とMPEG-2などの）既存の規格に関連するエンコーディングを行うことができるが、これらの実施例は、必ずしもこれらの既存の規格との後方互換性を有するとは限らない。
【００４０】
実施例の基本原理
本実施例のコード化方式の場合、ビデオがある程度マッチングしている
2005515511.tif 000072
個のフレーム内のオーディオ・サンプルは、準可変のオーバーラッピングにより、一連の
2005515511.tif 000073
個のビデオ・フレームと合致する。本発明の実施例に従ってエンコードを行うと直ちに、各ビデオ・フレームには、等しい整数個のオーディオ・フレームが含まれる。したがって、ビデオ・フレーム境界で編集を行ってもよい。デコード後直ちに、冗長なサンプルを破棄してもよい。
【００４１】
オーディオ・フレームが、
2005515511.tif 000074
個のサンプルから成るブロック
2005515511.tif 000075
個に分割されると仮定すると、ブロック内のオーバーラップの合計
2005515511.tif 000076
は、下式により計算することができる。
2005515511.tif 000077
式中、
2005515511.tif 000078
および
2005515511.tif 000079
は正の整数であり、かつ
2005515511.tif 000080
と
2005515511.tif 000081
は、周波数をHzで表し、
2005515511.tif 000082
は有理数である。
【００４２】
デコーダの再構築フィルタ内の編集されたオーディオ・ストリーム間でクロスフェードを行うために、オーバーラップの合計
2005515511.tif 000083
は、下式に与えられているように整数のブロックと合致するように選択される。
2005515511.tif 000084
式中、
2005515511.tif 000085
および
2005515511.tif 000086
は、負ではない整数である。
【００４３】
本発明の様々な実施例の範囲内で、オーディオ・フレームの端から端に至るまでのオーバーラップを全体的に広げるための様々なアプローチを採用することができる。すなわち、様々な異なる制約を課すことにより、これらの実施例の異なる実施態様を得てもよい。本明細書では、これらのアプローチとして、以下の3種類が参照されている。
アプローチ1−ビデオ・フレーム内でオーバーラップを行う。
アプローチ2−ビデオ・フレームのシーケンス内でオーバーラップを行う。
アプローチ3−ビデオ・ストリーム全体に渡りオーバーラップを行う。
【００４４】
アプローチ3は、2つの隣接するオーディオ・フレーム間に、可能な最小のオーバーラップを常に設け、多くの場合、シーケンスごとのビデオ・フレーム数が最小となることを示すことができる。したがって、多くの用途の場合、このアプローチが他のアプローチよりも好ましい。しかしながら、特定の用途次第では、このことが常に当てはまるとは限らない。
【００４５】
アプローチ1
図4の場合のように、1つのビデオ・フレーム内にしかオーバーラップが存在しない場合、ブロック内の平均オーバーラップ
2005515511.tif 000087
は、下式により与えられる。
2005515511.tif 000088
この式は、
2005515511.tif 000089
つまり、長さ
2005515511.tif 000090
のブロックのオーバーラップと、
2005515511.tif 000091
つまり、長さ
2005515511.tif 000092
のブロックのオーバーラップ、
として実施してもよい。
【００４６】
アプローチ2
図5のように、オーバーラップが1つのシーケンス内にしか存在しない場合、ブロック内の平均オーバーラップ
2005515511.tif 000093
は、下式により与えられる。
2005515511.tif 000094
式6は、
2005515511.tif 000095
つまり、長さ
2005515511.tif 000096
のブロックのオーバーラップと、
2005515511.tif 000097
つまり、長さ
2005515511.tif 000098
のブロックのオーバーラップ、
として実施してもよい。
【００４７】
アプローチ3
図6のように、オーバーラップが複数のシーケンス内に存在する場合、ブロック内の平均オーバーラップ
2005515511.tif 000099
は、下式により与えられる。
2005515511.tif 000100
式9は、
2005515511.tif 000101
つまり、長さ
2005515511.tif 000102
のブロックのオーバーラップと、
2005515511.tif 000103
つまり、長さ
2005515511.tif 000104
のブロックのオーバーラップ、
として実施してもよい。オーバーラップの長さ
2005515511.tif 000105
は、下式のように表してもよい。
2005515511.tif 000106
式12は、最後のアプローチの場合、下式のように書くことができる。
2005515511.tif 000107
2005515511.tif 000108
は、下式を満たすように選択される。
2005515511.tif 000109
また、ビデオ・フレームごとのオーディオ・フレームのレート
2005515511.tif 000110
は、下式のように書いてもよい。
2005515511.tif 000111
【００４８】
クロスフェード
ISO/IEC 11172の「デジタル格納媒体のための動画および関連付けられたオーディオの最大約1.5 Mbit/sまでのコード化（第３部）：オーディオ (1993-08) ("Coding of moving pictures and associated audio for digital storage media at up to about 1.5 Mbit/s" Part 3: Audio (1993-08) )」に定義されている、MPEG-1デコーダ内の再構築フィルタは、オーバーラップ型のフィルタ・バンクである。スプライシングが、サブバンド領域（すなわちブロック）内で行われる場合、デコード後直ちに、約512個のオーディオ・サンプルがクロスフェードする。
【００４９】
一般的なコード化規格に基づく実施例の実施
本発明を実施するための基礎として、様々なエンコード方式が考慮されてきた。特に、MPEG-1とMPEG-2のレイヤＩとレイヤIIが考慮されてきたが、可能な方式がこのリストに限定されるわけではない。本発明を具現化する方式は、既存の規格と同様のコード化方式を用いているが、オーバーラッピングのためこれらの規格からは逸脱することを、ここで述べておかなければならない。
【００５０】
当業者にはよく知られているように、MPEG-2は、MPEG-1との後方互換性を有するように多重チャンネル・オーディオをエンコードのための規格方式である。他方、後方互換性を有さずにMPEG-1規格を多重チャネルに拡張したものは、実施態様を単純化することができる。さらに、レイヤ IIは、レイヤ I よりも効率的である。他方、レイヤＩは、ブロック数が少ないので、エンコードの冗長性が少ない。本発明の実施例の場合、MPEG-1 レイヤＩに基づく方式により、低い冗長性と実施態様の単純性とが、最良に組み合わされる。
【００５１】
MPEG-2レイヤII
MPEG-2 レイヤ IIを、エンコード方式の基礎として用いる場合、
2005515511.tif 000112
および
2005515511.tif 000113
である。
【００５２】
表5は、実施例が上述したアプローチ1に基づいている場合の、オーディオ・サンプル周波数とビデオ・フレーム・レートの様々な組み合わせに対するオーバーラップ・シーケンスの例を、幾つか示している。
（表5）  MPEG-2レイヤ II とアプローチ1
2005515511.tif 000114
表6は、実施例が上述したアプローチ2に基づいている場合の、オーディオ・サンプル周波数とビデオ・フレーム・レートの多様な組み合わせに対するオーバーラップ・シーケンスの例を、幾つか示している。
（表6）  MPEG-2レイヤ II とアプローチ2
2005515511.tif 000115
表7は、実施例が上述したアプローチ3に基づいている場合の、オーディオ・サンプル周波数とビデオ・フレーム・レートの様々な組み合わせに対するオーバーラップ・シーケンスを、幾つか示している。
（表7）  MPEG-2レイヤIIとアプローチ3
2005515511.tif 000116
【００５３】
MPEG-2レイヤ I
MPEG-2 レイヤＩをエンコード方式として用いる場合、
2005515511.tif 000117
および
2005515511.tif 000118
である。アプローチ3を用いることにより、表8に示されているシーケンスが得られる。
（表8）  MPEG-2レイヤＩとアプローチ3
2005515511.tif 000119
【００５４】
平均冗長は、レイヤ IIを用いた場合よりも、かなり小さくなることに留意すべきである。
【００５５】
MPEG-1
各実施例に適用可能な別の単純化した例は、MPEG-1をエンコード方式の基礎として用いたものである。この場合、MPEG-1の2本の（例えば、ステレオ）チャネル上の上限は、
2005515511.tif 000120
チャネルまで拡張できる。したがって、各チャネルには、利用可能なビット合計と、チャネルごとのオーディオ・コンテンツとに依存したビット割り付けが可能である。
【００５６】
アルゴリズム
以下のセクションでは、アプローチ3によるオーバーラップの計算に適用可能なアルゴリズムを説明する。
【００５７】
エンコーディング
実施例のストリームを作り出すためのエンコーダは、予め決定されている構造の一連のフレームを作り出す。各フレーム
2005515511.tif 000121
は、以下の表9に示されている構造を有する。表中、
2005515511.tif 000122
はブロック総数であり、
2005515511.tif 000123
は先頭のオーバーラップ内のブロック数であり、かつ
2005515511.tif 000124
は末尾のオーバーラップ内のブロック数である。
（表9）
2005515511.tif 000125
2005515511.tif 000126
であることに留意されたい。
【００５８】
エンコーダは、
2005515511.tif 000127
および
2005515511.tif 000128
の値を知っていれば、以下のアルゴリズムを用いて、先頭のオーバーラップを正確に計算することができる。
2005515511.tif 000129
MPEG-2レイヤ IIの場合、
2005515511.tif 000130
および
2005515511.tif 000131
であり、表7から、
2005515511.tif 000132
および
2005515511.tif 000133
が得られる。これにより、先頭のオーバーラップのシーケンスが、5、4、5、および5、またはこの任意の円形シフトとして生成される。
【００５９】
あらゆるオーディオ・フレームには、そのサイズを示すためのタグを付けられなければならない。上述した方式の場合、先頭のオーバーラップは、長さが
2005515511.tif 000134
または
2005515511.tif 000135
になることしかできない。したがって、1ビットのタグを用いて、短いフレームと長いフレームとを区別することができる。ビデオ・シーケンス内のフレーム
2005515511.tif 000136
の有効サイズ
2005515511.tif 000137
は、下式により与えられる。
【００６０】
2005515511.tif 000138
【００６１】
あらゆるブロックには、その冗長度を示すタグを付けられなければならない。上述の方式の場合、ブロックは、冗長または非冗長の何れかにしかなることができない。したがって、1ビットのタグを用いて、冗長ブロックと非冗長ブロックとを区別することができる。
【００６２】
記録と伝送
冗長な情報はエンコードされなければならないが、すべてを伝送する必要はない。このことにより、伝送されるストリーム内のビット・レートが節約される。ビデオ・シーケンス内で記録または伝送されるブロックの最小の総数
2005515511.tif 000139
は、下式により与えられる。
【００６３】
2005515511.tif 000140
【００６４】
オーディオ・フレームごとの余分な冗長ブロックは、エンコードされたストリームを編集するために必要となる場合がある。この場合、ビデオ・シーケンス内で記録または伝送される、ブロックの最大総数
2005515511.tif 000141
は、下式により与えられる。
2005515511.tif 000142
【００６５】
位相
2005515511.tif 000143
は、ビデオ・シーケンス内の最初のビデオ・フレームに対する、エンコードされたストリームのブロック内の相対的な開始部分を示すように定義してもよい。
【００６６】
2005515511.tif 000144
の適切な選択方法は、下式の通りである。
2005515511.tif 000145
【００６７】
さらに、エンコーダはヌル・パディング
2005515511.tif 000146
を生成して、IEC61937規格に準じたストリームを完了させる。パディングの長さは、ペイロードの長さに依存するのみならず、ビデオ境界も考慮に入れて、エンコードされたストリーム内にもたらされてしまう累積エラーをなくさなければならない。
【００６８】
編集
本実施例に従ってエンコードされたストリームの編集は、フレームを追加、除去、または添付することにより、ビデオ・フレームの境界で行ってもよい。デコーダは、生成されてしまう可能性があるエラーを、デコーダ内で利用可能な（
2005515511.tif 000147
と
2005515511.tif 000148
の値などの）情報、またはエンコーダにより生成される（サイズ・タグなどの）情報を用いて編集することにより修正する。編集の結果、情報をさらに記録または伝送する必要はなくなる。さらに、デコーダ内の再構築フィルタ・バンクを用いて、編集点でのクロスフェードを設けてもよい。
【００６９】
デコーディング
ストリームをデコードするためのデコーダは、現在のフレーム
2005515511.tif 000149
に対して予想される有効なサイズ
2005515511.tif 000150
を計算する。さらに、このデコーダは、入来するフレームからサイズ・タグを読み取って、実際の有効なサイズ
2005515511.tif 000151
を決定する。
【００７０】
オーディオ・フレーム内のブロックは、冗長または非冗長という2つの状態の内の1つを有してもよい。非冗長なブロックは、サブバンド・サンプルに記録、伝送、およびデコードされる。（末尾のオーバーラップ内の最初の冗長ブロックなどの）冗長ブロックを記録しかつ伝送して、デコード処理を容易化してもよい。しかしながら、冗長ブロックがサブバンド・サンプルにデコードされることは決してない。
【００７１】
オーバーラップ・ブロックの状態を変更させるために、
2005515511.tif 000152
および
2005515511.tif 000153
という4つの演算子が定義されている。
2005515511.tif 000154
演算子は、ブロックの状態を変化させない。
2005515511.tif 000155
演算子は、先頭のオーバーラップからの最初の非冗長ブロックを冗長ブロックに変化させる。
2005515511.tif 000156
演算子は、末尾のオーバーラップからの最初の冗長ブロックを非冗長ブロックに変化させる。
2005515511.tif 000157
演算子は、
2005515511.tif 000158
演算子と
2005515511.tif 000159
演算子との両方を組み合わせたものである。
【００７２】
本発明を具現化するストリーム内のフレームをサブバンド・サンプルにデコードすることは、マッピングと呼ばれている。非冗長なブロックしかサブバンド・サンプルにマッピングされない。入来するフレームが予想されたよりも大きな場合、
2005515511.tif 000160
演算子が適用される。逆に、入来するフレームが予想されたよりも小さい場合、
2005515511.tif 000161
演算子が適用される。実際のサイズが予想されたサイズに等しい場合、デコーダは、直前のフレームを対象にする。直前のフレームがアペンドまたはシフトされている場合、
2005515511.tif 000162
演算子が適用される。その他の場合、入来するフレームは変更されずにマッピングされる。
【００７３】
同期化エラー
本発明を具現化するストリームは、長い（つまりタグを付けられた）フレームと短いフレームをエンコード時に定義されたシーケンスに直すことにより、ビデオ・フレーム長
2005515511.tif 000163
に等しいオーディオ・フレーム平均有効長
2005515511.tif 000164
を作り出すことに基づいている。直前に定義された長いフレームと短いフレームのシーケンス
2005515511.tif 000165
を、デコード時に再生するために必要な冗長性は、編集後に入来するフレームの実際の長さ
2005515511.tif 000166
に関わらず、編集点でフレームをオーバーラップさせることにより得られる。編集時には、フレームを交換することによる、ブロック内の同期化エラー
2005515511.tif 000167
は、下式により表すことができる。
2005515511.tif 000168
下式のように常に書くことができる。
2005515511.tif 000169
ここでは、
2005515511.tif 000170
および
2005515511.tif 000171
である。代入により、下式が得られる。
2005515511.tif 000172
式中、
2005515511.tif 000173
である。デコード後、直ちに、これらの冗長性は、上述した
2005515511.tif 000174
演算子、
2005515511.tif 000175
演算子、
2005515511.tif 000176
演算子、および
2005515511.tif 000177
演算子によって、適切に破棄される。さらに、
2005515511.tif 000178
演算または
2005515511.tif 000179
演算により、入来するフレーム
2005515511.tif 000180
を1ブロックだけ遅延させてもよい。したがって、この処理によりもたらされる同期化エラーの合計
2005515511.tif 000181
は、下式のように定められることを示すことができる
2005515511.tif 000182
ここで、端点は、以下の通りである。
【００７４】
2005515511.tif 000183
【００７５】
カスケーディング
損失の多いエンコーディングとデコーディングのカスケーディング・レベルが幾つもあると、信号を劣化させてしまう場合がある。しかしながら、コントリビューション時と配信時における低い圧縮レートの使用、圧縮された信号に関するメタデータの使用、および特殊技術を採用して、この劣化をエンドユーザに知覚されない状態を保つことができる。本発明の技術分野の当業者には、（例えば、「カスケーディングされた音響心理学的なコード化におけるオーディオ品質の維持 (Maintaining Audio Quality in Cascaded Psychoacoustic Coding)」 (Warner R. Th. ten Kate 101st AES Convention 1996 November 8-11) に記述されているような）、MPEGエンコーディングに適用可能な様々な方法が知られている。これらの方法を本発明の実施例に用いて、DTVブロードキャスト・チェーン全体のオーディオ信号の品質を維持してもよい。
【００７６】
本発明の例
ブロック構成
表10には、MPEG-2 レイヤ IIとアプローチ3のオーバーラップとに基づいた、映画とプロ用オーディオのための、本発明の実施例に従ってエンコードされたオーディオ・フレームのシーケンスが示されている。図8には、本発明の別の実施例による、ストリームをデコードした後の可能なブロック構成がすべて示されている。パラメータは、以下の通りである（上記の記号リストを参照されたい）。
2005515511.tif 000184
（表10）
2005515511.tif 000185
【００７７】
IEC61937規格へのシステム適用
本発明を具現化するストリームを伝送するために適切な規格は、IEC61937規格「PCMによりエンコードされた非線形のオーディオ・ビット・ストリームのためのIEC 60958を適用したインターフェイス (Interface for non-linear PCM encoded audio bitstreams applying IEC 60958)」である。図7に示されている前の例に対するストリーム割り付けの場合、以下の通りである。
・  IEC61937によるフレーム長は、
2005515511.tif 000186
である。
2005515511.tif 000187
の場合、これは64,000ビットに対応する。
・  プリアンブル：Pa = F872h、シンクワード 1；Pb = 4E1Fh、シンクワード 2；Pc = バースト情報；Pd =ビット数 < 65,536、長さコード
・  データ・バーストの反復周期は、IEC60958によるフレーム数である。
・  VTRテープ編集後のオーディオとビデオ間の相対的なタイミング確度と、複数のスイッチャ・システムのギャップによりもたらされる遅延により、2つのフレーム間に必要な最小限のギャップが決定される。このいわゆるスプライシング・ギャップは、ヌル・フレームをスタッフィングすることにより得てもよい。このことは、以下のように要約することができる。
・  スタッフィング = スプライシングのギャップ + バースト間隔；スプライシングのギャップ = テープ ＋ スイッチの不正確度；バースト間隔 ＝ 4 × IEC60958 “0” サブフレーム、各4096 × IEC60958フレーム
・  バーストペイロード：
2005515511.tif 000188
2005515511.tif 000189
【００７８】
本発明を具現化するストリームが、384 kbit/sの5.1チャネル用のMPEG-2 レイヤ IIに基づいている場合、システムは最大で45,504ビット (2 × [ (1,152 − 4 × 32) × 384 / 48 + ( 2,047 − 4 × 32 / 1,152 × 2,047) × 8 ] ＋ 0) を必要とする。
【００７９】
これに代えて、本発明を具現化するストリームが、6チャネルの場合にはチャネルごとに192 kbit/sとなる、MPEG-1 レイヤ IIの6チャネル・バージョンに基づいている場合、最大で49,152ビット (2 × (1,152 − 4 × 32) × 6 × 192 / 48 + 0) が必要となる。LFEチャネルがフレームごとに12個のサンプルしか必要としないことを考慮に入れた場合、有効ビット・レートは、チャネルごとに約230 kbit/sとなることになる。
【図面の簡単な説明】
【００８０】
【図１】DTVブロードキャストに伴う典型的なチェーン状の線図である。
【図２】典型的なDTV製作サイトの主要コンポーネントを示す線図である。
【図３】典型的なDTVネットワーク・サイトの主要なコンポーネントを示す線図である。
【図４】本発明の一実施例での第一アプローチによる、エンコードされたストリーム内のオーディオ・フレームとビデオ・フレームの構成を示す線図である。
【図５】本発明の一実施例での第二アプローチによる、エンコードされたストリーム内のオーディオ・フレームとビデオ・フレームの構成を示す線図である。
【図６】本発明の一実施例での第三アプローチによる、エンコードされたストリーム内のオーディオ・フレームとビデオ・フレームの構成を示す線図である。
【図７】IEC61937におけるNTSCと48 kHzのオーディオのための、本発明を具現化するMPEG-2レイヤ II に基づくストリームのビット割り当てである。
【図８】本発明の実施例によりエンコードされたストリーム状態のブロックの構成に関する線図である。
【符号の説明】
【００８１】
10…コントリビューション段
12…配信段
14…放出段
20…製作サイト
22…配信ネットワーク
24…ブロードキャスト・ネットワーク
30…配信ネットワーク
32…DTH衛星ブロードキャスタ
34…地上ブロードキャスタ
36…ケーブル・テレビのプロバイダ
40…加入者
50…第一スタジオ
52…第二スタジオ
54…エンコーダ
56…テープ
60…スプライサ
62…パケタイザ
64…ローカル・スタジオ
【図１】
2005515511.tif 000234
【図２】
2005515511.tif 000235
【図３】
2005515511.tif 000236
【図４】
2005515511.tif 000237
【図５】
2005515511.tif 000238
【図６】
2005515511.tif 000239
【図７】
2005515511.tif 000240
【図８】
2005515511.tif 000241
【国際調査報告】
2005515511.tif 000242
2005515511.tif 000243
2005515511.tif 000244